【事件の表示】
　特許第３０３８３９２号「画像処理システムおよび画像処理方法」の請求項１、２、４、５に係る特許に対する特許異議の申立てについて、次のとおり決定する。
【結　論】
　訂正を認める。
　特許第３０３８３９２号の請求項１、３に係る特許を維持する。
【理　由】
 I【手続きの経緯】
　特許第３０３８３９２号の発明についての出願は、平成１年１２月２９日に特許出願され、平成１２年３月３日にその特許の設定登録がなされ、その後、その特許について、異議申立人有限会社オフィスアテナより特許異議の申立てがなされ、取消しの理由が通知され、その指定期間内である平成１３年３月２７日に訂正請求（後日取下げ）がなされた後、再度取消しの理由が通知され、その指定期間内である平成１３年６月１１日に訂正請求がなされたものである。
II【訂正の適否についての判断】
ア．訂正の内容
　特許権者が求めている訂正の内容は、以下のａ〜ｃのとおりである。
ａ．特許請求の範囲の記載を、次のとおりに訂正する。
「（１）記憶媒体に記憶された画像情報
を読み出す読出手段であって、上記画像情報の読み出しに先立って、上記画像情報の属性を取得する
　上記読出手段によって読み出された画像情報を格納する格納手段と；
　上記読出手段によって読み出された属性に応じて、
上記格納手段の格納領域を設定して
複数の画像情報
　上記読出手段によって読み出された属性に応じ
て、上記複数の画像情報のそれぞれを、一定の大きさとする変倍率
処理し、上記複数の画像情報を一記録媒体上に
　を有することを特徴とする画像処理システム。
（２）請求項（１）において、
　
上記属性
（３）記憶媒体に記憶された画像情報
を読み出す読出工程であって、上記画像情報の読み出しに先立って、上記画像情報の属性を取得する
　上記読出工程によって読み出された画像
情報をメモリへ
　上記読出工程によって読み出された属性に応じて、上記格納工程
におけるメモリの格納領域を設定して
複数の画像情報の上記メモリへの格納を
　上記読出工程によって読み出された属性に応じ
て、上記複数の画像情報のそれぞれを、一定の大きさとする
においてメモリ
処理し、上記複数の画像情報を一記録媒体上に
　を有することを特徴とする画像処理方法。
（４）請求項（３）において、
　
上記属性
ｂ．発明の詳細な説明欄の［課題を解決する手段］の項の記載を、次のとおりに訂正する。
「本発明は、記憶媒体に記憶された画像情報を読み出す読出手段であって、上記画像情報の読み出しに先立って、上記画像情報の属性を取得する読出手段と、上記読出手段によって読み出された画像情報を格納する格納手段と、上記読出手段によって読み出された属性に応じて、上記格納手段の格納領域を設定して、上記読出手段が読み出した複数の画像情報の上記格納手段への格納を制御する制御手段と、上記読出手段によって読み出された属性に応じて、上記複数の画像情報のそれぞれを、一定の大きさとする変倍率を選択し、上記格納手段に格納されている画像を変倍処理し、上記複数の画像情報を一記録媒体上に像形成する像形成手段とを有する画像処理システムである。」
ｃ．発明の詳細な説明欄の［発明の効果］の項の記載を、次のとおりに訂正する。
「本発明によれば、記憶手段に記録された画像情報の属性を予め取得し、その属性に応じてメモリへの格納領域を設定し、メモリへ画像情報を記録するので、外部から画像が送られてくる前に、これから送られてくる画像に必要なメモリの記憶領域を確保することができ、したがって、メモリの記憶領域を有効に利用することができるという効果を奏する。
　これは、特に、記憶容量をあまり大きくできない装置に画像情報を転送する場合に効果的である。
　さらに、その取得された属性に応じて、複数の画像情報のそれぞれを、一定の大きさとする変倍率を設定し、変倍処理し、上記複数の画像情報を像形成するので、画像の属性に応じた適切な処理によって、見苦しいレイアウトの画像を防止することができる。」　
イ．訂正の目的の適否、新規事項の有無及び拡張・変更の存否
　上記訂正事項ａにおける請求項１、３の訂正は、特許明細書の［実施例］の＜ＳＶ録再生機インターフェースの説明＞（第２９頁１行〜第３８頁１１行）、＜記録紙の大きさに対応した画像形成処理＞（第３９頁１０行〜第４５頁４行）の項の記載に基づいて、特許請求の範囲を減縮し、また明りょうでない記載の釈明を目的とする訂正に該当する。
　また、上記訂正事項ａにおける請求項２の訂正は、特許明細書の請求項２を削除すると共に、特許明細書の請求項３が引用する請求項１または請求項２のうち、請求項２の部分を削除し、請求項１の部分を残すことに伴う訂正であり、同様に、上記訂正事項ａにおける請求項４の訂正は、特許明細書の請求項５を削除すると共に、特許明細書の請求項６が引用する請求項４または請求項５のうち、請求項５の部分を削除し、請求項４の部分を残すことに伴う訂正であり、いずれも特許請求の範囲を減縮し、また明りょうでない記載の釈明、あるいは誤記の訂正を目的とする訂正に該当する。
　また、上記訂正事項ｂ、ｃは、上記特許請求の範囲の訂正に伴い、これと整合を図るためのものであり、明りょうでない記載の釈明を目的とした訂正に該当する。
　そして、上記訂正事項ａ〜ｃのいずれも新規事項の追加に該当せず、実質上特許請求の範囲を拡張し、又は変更するものでもない。
　さらに、上記訂正事項ａにおける請求項２及び請求項４に係る訂正は、特許異議の申立てがされていない請求項についての訂正であって、特許請求の範囲の減縮、明りょうでない記載の釈明に該当するから、訂正明細書の請求項２及び４に係る発明の独立特許要件について検討する。
　訂正明細書の請求項２及び４に係る発明は、訂正明細書の特許請求の範囲の請求項２及び４に記載されたとおりのものであって（上記ア．の訂正の内容参照。）、請求項２は、請求項１を引用しており、その請求項１の構成要件を全て含むものであり、また請求項４は、請求項３を引用しており、その請求項３の構成要件を全て含むものである。
　そして、当該請求項１及び３に係る発明が、下記III（４）のように、申立人が提出した全刊行物に記載された発明に基づいて当業者が容易に発明できたものと認めることができないので、同様の理由により、訂正明細書の請求項２及び４に係る発明は、申立人が提出した全刊行物に記載された発明に基いて当業者が容易に発明できたものと認めることができない。
　したがって、訂正明細書の請求項２及び４に係る発明は、出願の際、独立して特許を受けることができるものである。
ウ．むすび
　以上のとおりであるから、上記訂正は、特許法第１２０条の４第２項及び第３項において準用する特許法第１２６条第２項ないし第４項の規定に適合するので、当該訂正を認める。
III【特許異議の申立てについての判断】
（１）申立ての理由の概要
　申立人有限会社オフィスアテナは、証拠として甲第１号証：特開昭６０−１４８２７５号公報、甲第２号証：特開昭６２−８２７７１号公報、参考資料１：特開昭６３−８６９７９号公報、参考資料２：特開昭６３−６９３８３号公報、参考資料３：特開昭６１−２５３７０号公報、参考資料４：特開昭６３−１９５６９０号公報を提出し、請求項１、４に係る発明は、甲第１号証記載の発明と同一であり、特許法第２９条第１項第３号の規定により特許を受けることができず、また請求項１、２、４、５に係る発明は、甲第１号証、甲第２号証の記載に基づいて当業者が容易に発明をすることができたものであり、特許法第２９条第２項の規定により、特許を受けることができないものであるから、特許を取り消すべき旨、主張している。
　さらに、実施例の構成についても参考資料１〜４の記載から推考容易である旨、主張している。
（２）本件発明
　訂正明細書の請求項１及び３に係る発明（以下「本件発明１及び３」という。）は、訂正明細書の特許請求の範囲の請求項１及び３に記載されたとおりのものである（上記II．アの訂正の内容参照）。
（３）引用刊行物記載の発明
　本件発明に対して、当審が通知した取消理由で引用した刊行物１：特開昭６０−１４８２７５号公報（上記甲第１号証）には、「画像情報の伝送記録方法」（発明の名称）に関し、図面と共に次のとおりの記載がある。
１．「本発明は、例えばファクシミリのように画像情報を伝送し受信した画像情報を記録するための技術に関する。」（公報第１頁左下欄１６行〜１８行）
２．「第１図に、本発明を実施する一形式の画像処理装置を示す。概略でいうと、第１図に示す装置は通信回線から送られてくる画像デー夕を処理し、その画像をハードコピーする。」（公報第２頁右上欄第１１行〜第１４行）
３．「ページメモリＰＧＭは、１頁分の画像データを格納しうる記憶容量をもつ半導体メモリである。」（公報第２頁左下欄３行〜第５行）
４．「第３図に、第１図に示す装置の概略動作を示す。第３図を参照して説明する。所定のデー夕が通信制御装置ＣＭＩを介して蓄積装置ＢＦＭに格納されると、中央処理装置ＣＰＵはまず蓄積装置ＢＦＭのドキュメントヘッダ部分の内容を読む。ドキュメントヘッダの内容をチェックして画像のサイズおよび画像の向きを読み取る。次に、プリンタＰＲＴが出力する記録シートのサイズおよびその向きの情報を読み取る。
　読み取った画像サイズと記録シートサイズとを比較する。画像サイズが記録シートサイズよりも大きければ蓄積装置ＢＦＭの１頁分の画像デー夕を読んでそれを変倍装置ＳＺＣに転送するとともに、変倍の倍率を変倍装置ＳＺＣに設定する。例えば画像サイズがＡ３で記録シートサイズがＢ４であれば倍率を約０．８６に設定し、画像サイズがＢ４で記録シートサイズがＡ４であれば、倍率を約０．８１に設定する。変倍後の画像データはページメモリＰＧＭに格納する。」（公報第２頁右下欄１０行〜第３頁左上欄８行）
５．「ページメモリＰＧＭに記録シートのサイズおよび向きに応じた所定の画像データが格納されたら、そのデータをプリンタＰＲＴに転送して記録シートにハードコピーを行なう。」（公報第３頁左上欄１４行〜１７行）
　同じく引用した刊行物２：特開昭６２−８２７７１号公報（上記甲第２号証）には、「データ通信装置」（発明の名称）に関し、図面と共に次のとおりの記載がある。
１．「従来、この種の装置、たとえばファクシミリ装置では１ページの原稿の中に同じイメージが２つ以上ある様な場合にも全原稿読み取り走査し、読み取ったデータを符号化して送るのでデータ長が増加し伝送時間がかかってしまうという欠点があった。」（公報第１頁右下欄２行〜７行）
２．「次にブロックデータの展開を行う。まずアドレスａと大きさ情報ｂによってメモリ上のブロックの位置と大きさが決定され、そのブロックのメモリ領域にイメージデータ、あるいはキャラクタデータのドットデータが格納される。」（公報第４頁右上欄８行〜１２行）
３．「ＣＴＲ６０にデータを表示する場合にはＩＭＥＭ２５から表示データを読み出しＶＲＡＭ２６に格納して表示する。」（公報第５頁右上欄６行〜８行）
　同じく引用した刊行物３：特開昭６３−８６９７９号公報（上記参考資料１）には、「映像信号の記録装置及びその再生装置」（発明の名称）に関し、図面と共に次のとおりの記載がある。
「メモリ１３に書き込まれた再生映像信号のうちの上記画枠信号に応じた所定の範囲のみの信号がメモリ１３から取り出されて補償回路１４に供給される。そして画枠信号に応じたズ−ム状態となるようにこの補償回路１４において内挿、外挿などの信号処理が行われる。
　次いで補償回路１４の出力信号は、Ｄ−Ａ変換器１５によってアナログ化され、更にプロセッサ１６によってＮＴＳＣ信号に変換されてから、ＴＶなどに映像として写し出される。」（公報第３頁右上欄１８行〜左下欄８行）
　同じく引用した刊行物４：特開昭６３−６９３８３号公報（上記参考資料２）には、「ズーム電子カメラ」（発明の名称）に関し、図面と共に次のとおりの記載がある。
「ズームアップやトリミングによる再生を行なっても、解像度の点で画質的に問題がない画面を再生することが可能である。特に、一般にはズームアップ画では解像度が少なくて済む傾向があるといえる。具体例として画素数（７８０×５００）のＣＣＤを用いて一画面を作った場合、２倍ズームアップを行ない画素数（３９０×２５０）の画素を一画面として再生しても、実用上問題がない画面が得られる。」（公報第２頁右上欄１７行〜左下欄６行）
　同じく引用した刊行物５：特開昭６１−２５３７０号公報（上記参考資料３）には、「画像処理方法」（発明の名称）に関し、図面と共に次のとおりの記載がある。
「最初に原画のサイズと最終的にプリントされるべき大画面のサイズそして１枚づつプリントされるプリント紙のサイズから倍率ａを指定入力する」（公報第３頁右上欄１２行〜１５行）
　同じく引用した刊行物６：特開昭６３−１９５６９０号公報（上記参考資料４）には、「動画表示制御装置」（発明の名称）に関し、図面と共に次のとおりの記載がある。
「動画図形の形状デー夕を記憶する表示メモリ１と各動画図形の識別情報、表示開始位置情報（ＸＰ，ＹＰ）表示サイズ（ＸＳＩＺＥ，ＹＳＩＺＥ）および付加する色情報など動画表示に必要な属性情報を定義し、記憶する属性メモリ２」（公報第３頁右上欄７行〜１２行）
（４）対比・判断
《本件発明１について》
　本件発明１と各刊行物に記載の発明とを対比すると、次のことが認められる。
１．本件発明１は、明細書の記載によれば、従来の装置では、各種ビデオ機器から画像を入力して記憶装置に格納することはできるが、ビデオ機器の記録フォーマット、例えばノーマルバンドやハイバンド記録等の違いにかかわらず、画像記憶装置における画像データの格納領域は常に一定にセットされ、かつ必要十分な領域が確保されていたため、例えばノーマルバンドの画像を記憶する際、ハイバンドの画像より画像占有領域が小さいにもかかわらず、ハイバンドの画像を格納可能とするべく一定の画像格納領域が用意されているため、記憶領域が余ってメモリ効率の悪いものとなっていたり、また、読み込んだ画像をプリントアウトしようとすると、たとえばハイバンドとノーマルバンドとの画像では、画素数が異なるため、そのまま出力すると、出力された画像の大きさの違いが生じ、見苦しいレイアウトになるという問題点・課題に鑑み（発明の詳細な説明の［発明が解決しようとする課題］の項の記載参照）、請求項１に記載の構成を採用、特に、「上記読出手段によって読み出された属性に応じ
て、上記複数の画像情報のそれぞれを、一定の大きさとする変倍率
処理し、上記複数の画像情報を一記録媒体上に
２．それに対して、刊行物１には、画像処理装置において、中央処理装置ＣＰＵはまず蓄積装置ＢＦＭのドキュメントヘッダ部分の内容を読み、ドキュメントヘッダの内容をチェックして画像のサイズおよび画像の向きを読み取り、読み取った画像サイズと記録シートサイズとを比較し、変倍率を設定し、蓄積装置ＢＦＭの１頁分の画像データを読んでそれを変倍処理し、変倍後の画像データをページメモリＰＧＭに格納することが記載されており（刊行物１の上記１．〜４．の記載参照）、またページメモリＰＧＭに記録シートのサイズおよび向きに応じた所定の画像データが格納されたら、そのデータをプリンタＰＲＴに転送して記録シートにハードコピーを行なうことが記載されており（刊行物１の上記５．の記載参照）、そこに記載の「蓄積装置ＢＦＭ」、「ページメモリＰＧＭ」は、それぞれ本件発明１の「記憶媒体」、「格納手段」に相当することは明らかであり、また刊行物１に記載のものもページメモリに格納された画像データをプリンタで出力するものであるから、“上記格納手段に格納されている画像を像形成する像形成手段”を有するものといえる。
　以上の点を踏まえると、両発明は、「記憶媒体に記憶された画像情報と、上記画像情報の属性とを読み出す読出手段と；上記読出手段によって読み出された画像情報を格納する格納手段と；上記読出手段によって読み出された属性に応じて、上記読出手段が読み出した画像の上記格納手段への格納を制御する制御手段と；上記読出手段によって読み出された属性に応じた変倍率を選択し、上記格納手段に格納されている画像を像形成する像形成手段と；を有することを特徴とする画像処理システム。」である点で類似している。　しかしながら、刊行物１に記載のものは、ページメモリＰＧＭに、１ページ分の画像データを格納し、プリンタＰＲＴでハードコピーを行うものであり、本件発明１のような格納手段へ“複数の画像情報”を格納することを前提としておらず、しかも“上記複数の画像情報を一記録媒体上に像形成する”ことを予定するものとはいえない。すなわち、本件発明１の上記構成Ａについては何も記載がなく、示唆もない。
　また、刊行物２には、ファクシミリ装置において、アドレスａと大きさ情報ｂによってメモリ上のブロックの位置と大きさが決定され、そのブロックのメモリ領域にイメージデータ、あるいはキャラクタデータのドットデータが格納されること（刊行物２の上記１．２．の記載参照）、また、ＣＴＲ６０にデータを表示する場合にはＩＭＥＭ２５から表示データを読み出しＶＲＡＭ２６に格納して表示することは記載されているが（刊行物２の上記３．の記載参照）、本件発明１の上記構成Ａについては何も記載がなく、示唆もない。
　また、刊行物３には、画枠信号に応じたズ−ム状態となるようにＴＶなどに映像として写し出すことが（刊行物３の上記記載参照）、また刊行物４には、画素数（７８０×５００）のＣＣＤを用いて一画面を作った場合、２倍ズームアップを行ない画素数（３９０×２５０）の画素を一画面として再生しても、実用上問題がない画面が得られることが（刊行物４の上記記載参照）、また刊行物５には、現画像サイズとプリント用紙の大きさとに応じて、変倍率が決定される点が（刊行物５の上記記載参照）、さらに刊行物６には、動画図形の形状データを表示メモリに記憶し、属性情報を属性メモリに記憶する点（刊行物６の上記記載参照）は、それぞれ示されているが、上記刊行物３〜６のいずれにも本件発明１の上記構成Ａについては何も記載がなく、示唆もない。
　以上のように、上記各刊行物のいずれにも本件発明１の上記構成Ａについて、何も記載がなく、示唆もないのであるから、それら各刊行物の記載内容自体、もしくはそれらの記載内容を組み合わせても本件発明１が容易になし得るとはいえない。
３．そして、本件発明１は、上記構成Ａを採用することによって、記憶手段に記録された画像情報の属性を予め取得し、その属性に応じてメモリへの格納領域を設定し、メモリへ画像情報を記録するので、外部から画像が送られてくる前に、これから送られてくる画像に必要なメモリの記憶領域を確保することができ、したがって、メモリの記憶領域を有効に利用することができ、またその取得された属性に応じて、複数の画像情報のそれぞれを、一定の大きさとする変倍率を設定し、変倍処理し、上記複数の画像情報を像形成するので、画像の属性に応じた適切な処理によって、見苦しいレイアウトの画像を防止することができる（発明の詳細な説明の［発明の効果］の項参照）等の明細書記載の顕著な効果を奏するものといえる。
　したがって、本件発明１は、刊行物１ないし６に記載の発明に基づいて容易に発明をすることができたものとはいえない。
《本件発明３について》
　本件発明３の画像処理方法は、本件発明１の画像処理システムを、方法として表現し、さらに具体化したものといえるから、上記本件発明１についての判断と同様の理由により、刊行物１ないし６に記載の発明に基づいて当業者容易に発明をすることができたものとはいえない。
IV【むすび】
　以上のとおりであるから、特許異議申立ての理由及び証拠によっては、本件請求項１及び３に係る特許を取り消すことはできない。
　また、他に本件請求項１及び３に係る特許を取り消すべき理由を発見しない。
　よって、結論のとおり決定する。
【異議決定日】
平成１３年６月１５日（２００１．６．１５）
【訂正の要旨】
　訂正の要旨
▲１▼　特許請求の範囲を、次の記載に訂正します。
　「（１）　記憶媒体に記憶された画像情報
を読み出す読出手段であって、上記画像情報の読み出しに先立って、上記画像情報の属性を取得する
　上記読出手段によって読み出された画像情報を格納する格納手段と；
　上記読出手段によって読み出された属性に応じて、
上記格納手段の格納領域を設定して
複数の画像情報
　上記読出手段によって読み出された属性に応じ
て、上記複数の画像情報のそれぞれを、一定の大きさとする変倍率
処理し、上記複数の画像情報を一記録媒体上に
　を有することを特徴とする画像処理システム。
（２）　請求項（１）において、
　
上記属性
（３）　記憶媒体に記憶された画像情報
を読み出す読出工程であって、上記画像情報の読み出しに先立って、上記画像情報の属性を取得する
　上記読出工程によって読み出された画像
情報をメモリへ
　上記読出工程によって読み出された属性に応じて、上記格納工程
におけるメモリの格納領域を設定して
複数の画像情報の上記メモリヘの格納を
　上記読出工程によって読み出された属性に応じ
て、上記複数の画像情報のそれぞれを、一定の大きさとする
においてメモリ
処理し、上記複数の画像情報を一記録媒体上に
　を有することを特徴とする画像処理方法。
（４）　請求項（３）において、
　
上記属性
▲２▼　明細書第４頁第８行〜第１６行の記載を、次の記載に訂正します。
　「［課題を解決する手段］
　
本発明は、記憶媒体に記憶された画像情報を読み出す読出手段であって、上記画像情報の読み出しに先立って、上記画像情報の属性を取得する読出手段と、上記読出手段によって読み出された画像情報を格納する格納手段と、上記読出手段によって読み出された属性に応じて、上記格納手段の格納領域を設定して、上記読出手段が読み出した複数の画像情報の上記格納手段への格納を制御する制御手段と、上記読出手段によって読み出された属性に応じて、上記複数の画像情報のそれぞれを、一定の大きさとする変倍率を選択し、上記格納手段に格納されている画像を変倍処理し、上記複数の画像情報を一記録媒体上に像形成する像形成手段とを有する画像処理システムである。
▲３▼　明細書第６２頁第７行〜第１４行の記載を、次の記載に訂正します。
　「［発明の効果］
　本発明によれば、
記憶手段に記録された画像情報の属性を予め取得し、その属性に応じてメモリヘの格納領域を設定し、メモリへ画像情報を記録するので、外部から画像が送られてくる前に、これから送られてくる画像に必要なメモリの記憶領域を確保することができ、したがって、メモリの記憶領域を有効に利用することができるという効果を奏する
　
これは、特に、記憶容量をあまり大きくできない装置に画像情報を転送する場合に効果的である。
　
さらに、その取得された属性に応じて、複数の画像情報のそれぞれを、一定の大きさとする変倍率を設定し、変倍処理し、上記複数の画像情報を像形成するので、画像の属性に応じた適切な処理によって、見苦しいレイアウトの画像を防止することができる。
（５４）【発明の名称】
画像処理システムおよび画像処理方法
（５７）【特許請求の範囲】
（１）　記憶媒体に記憶された画像情報
を読み出す読出手段であって、上記画像情報の読み出しに先立って、上記画像情報の属性を取得する
　上記読出手段によって読み出された画像情報を格納する格納手段と；
　上記読出手段によって読み出された属性に応じて、
上記格納手段の格納領域を設定して
複数の画像情報
　上記読出手段によって読み出された属性に応じ
て、上記複数の画像情報のそれぞれを、一定の大きさとする変倍率
処理し、上記複数の画像情報を一記録媒体上に
　を有することを特徴とする画像処理システム。
（２）　請求項（１）において、
　
上記属性
（３）　記憶媒体に記憶された画像情報
を読み出す読出工程であって、上記画像情報の読み出しに先立って、上記画像情報の属性を取得する
　上記読出工程によって読み出された画像
情報をメモリへ
　上記読出工程によって読み出された属性に応じて、上記格納工程
におけるメモリの格納領域を設定して
複数の画像情報の上記メモリヘの格納を
　上記読出工程によって読み出された属性に応じ
て、上記複数の画像情報のそれぞれを、一定の大きさとする
においてメモリ
処理し、上記複数の画像情報を一記録媒体上に
　を有することを特徴とする画像処理方法。
（４）　請求項（３）において、
　
上記属性
【発明の詳細な説明】
［産業上の利用分野］
　本発明は、入力情報から像を形成する画像処理システムに関する。
［従来の技術］
　近年、カラー画像をデジタル的に色分解して読取り、このデジタル画像信号に対して所望の編集加工処理を施し、これによって得られたデジタルカラー画像信号に基いてカラー記録を行なうようにしたデジタルカラー複写機が普及してきている。
　また、第２４図に示すように、上述したデジタルカラー複写機１００１に、カラー画像記憶装置１００２、モニタディスプレイ１００３およびスチルビデオ再生機１００４等を接続した装置も提案されている。
　これらの装置は、各種ビデオ機器、例えばスチルビデオ再生機等からの画像データを一時カラー画像記憶装置１００２に記憶させ、この格納画像データをカラー複写機１００１に順次送ることにより、ビデオプリント画像を得るようになっている。また、モニタディスプレイ１００３を接続することにより、格納画像データの内容を表示して確認できるようになっている。
［発明が解決しようとする課題］
　しかしながら、このような装置では、各種ビデオ機器から画像を入力して記憶装置に格納することはできるが、ビデオ機器の記録フォーマット、例えばノーマルバンドやハイバンド記録等の違いにかかわらず、画像記憶装置における画像データの格納領域は常に一定にセットされ、かつ必要十分な領域が確保されていた。このため、例えばノーマルバンドの画像を記憶する際、ハイバンドの画像より画像占有領域が小さいにもかかわらず、ハイバンドの画像を格納可能とするべく一定の画像格納領域が用意されているため、記憶領域が余ってメモリ効率の悪いものとなっていた。
　また、読み込んだ画像をプリントアウトしょうとすると、たとえばハイバンドとノーマルバンドとの画像では、画素数が異なるため、そのまま出力すると、出力された画像の大きさの違いが生じ、見苦しいレイアウトになる。
　そこで、本発明は、上述の課題に鑑みて、画像に応じて、適切な大きさの出力画像を得ることができる画像処理システムおよび画像処理方法を提供することを目的とする。
［課題を解決する手段］
　
本発明は、記憶媒体に記憶された画像情報を読み出す読出手段であって、上記画像情報の読み出しに先立って、上記画像情報の属性を取得する読出手段と、上記読出手段によって読み出された画像情報を格納する格納手段と、上記読出手段によって読み出された属性に応じて、上記格納手段の格納領域を設定して、上記読出手段が読み出した複数の画像情報の上記格納手段への格納を制御する制御手段と、上記読出手段によって読み出された属性に応じて、上記複数の画像情報のそれぞれを、一定の大きさとする変倍率を選択し、上記格納手段に格納されている画像を変倍処理し、上記複数の画像情報を一記録媒体上に像形成する像形成手段とを有する画像処理システムである。
［作用］
　本発明によれば、画像に応じて、適切な大きさの出力画像を得ることができる。
［実施例］
　以下、図面を参照して本発明に係る一実施例を詳細に説明する。
　第１図は、本発明に係る一実施例のカラー画像形成システムの概略内部構成を示すシステム構成図である。
　本実施例システムは、デジタルカラー画像を読取るデジタルカラー画像読取り装置（以下、カラーリーダという）１と、デジタルカラー画像を印刷出力するデジタルカラー画像フリント装置（以下、カラープリンタという）２と、画像記憶装置３と、ＳＶ再生機３１と、モニタテレビ３２と、ホストコンピュータ３３とにより構成される。
　本実施例のカラーリーダ１は、後述する色分解手段と、ＣＣＤ等で構成される光電変換素子とにより、読取り原稿のカラー画像情報をカラー別に読取り、電気的なデジタル画像信号に変換する装置である。
　また、カラープリンタ２は、出力すべきデジタル画像信号に応じてカラー画像をカラー別に制限し、被記憶紙にデジタル的なドット形態で複数回転写して記憶する電子写真方式のレーザビームカラープリンタである。
　画像記憶装置３は、カラーリーダ１からの読取りデジタル画像やＳＶ録再生機３１からのアナログビデオ信号を量子化し、デジタル画像に変換した後、記憶する装置である。
　ＳＶ録再生機３１は、ＳＶカメラで撮影してフロッピーディスク（以下、ＳＶフロッピーという）に記憶した画像情報を再生し、アナログビデオ信号として出力する装置である。また、ＳＶ録再生機３１は、上記の他に、アナログビデオ信号を入力することにより、ＳＶフロッピーに記憶することも可能である。さらに該ＳＶフロッピーには、音声、デジタル情報も記憶可能である。
　モニタテレビ３２は、画像記憶装置３に記憶している画像の表示やＳＶ録再生機３１から出力されているアナログビデオ信号の内容を表示する装置である。
　ホストコンピュータ３３は、画像記憶装置３へ画像情報を伝送したり、画像記憶装置３に記憶されているカラーリーダ１やＳＶ録再生機の画像情報を受け取る機能を有する。また、カラーリーダ１やカラープリンタなどの制御も行う。
　以下、各部毎にその詳細を説明する。
＜カラーリーダ１の説明＞
　まず、カラーリーダ１の構成を説明する。第１図のカラーリーダ１において、９９９は原稿、４は原稿を載置するプラテンガラス、５はハロゲン露光ランプ１０により露光走査された原稿からの反射光像を集光し、等倍型フルカラーセンサ６に画像入力する為のロッドアレイレンズである。ロッドアレイレンズ５、等倍型フルカラーセンサ６、センサ出力信号増幅回路７、ハロゲン露光ランプ１０が一体となって原稿走査ユニット１１を構成し、原稿９９９を矢印（Ａ１）方向に露光走査する。原稿９９９の読取るべき画像情報は、原稿走査ユニット１１を露光走査することにより１ライン毎に順次読取られる。読取られた色分解画像信号は、センサ出力信号増幅回路７により所定電圧に増幅された後、信号線５０１によりビデオ処理ユニット１２に入力され、ここで信号処理される。なお、信号線５０１は信号の忠実な伝送を保証するために同軸ケーブル構成となっている。信号５０２は等倍型フルカラーセンサ６の駆動パルスを供給する信号線であり、必要な駆動パルスはビデオ処理ユニット１２内で全て生成される。８、９は画像信号の白レベル補正、黒レベル補正のための白色板及び黒色板であり、ハロゲン露光ランプ１０で照射することにより、それぞれ所定の濃度の信号レベルを得る事ができ、ビデオ信号の白レベル補正、黒レベル補正に使われる。
　１３はマイクロコンピュータを有する本実施例のカラーリーダ１全体の制御を司るコントロールユニットであり、バス５０８を介して走査パネル２０における表示、キー入力の制御、及びビデオ処理ユニット１２の制御等を行う。また、ポジションセンサＳ１、Ｓ２により信号線５０９、５１０を介して原稿走査ユニット１１の位置を検出する。
　さらに、信号線５０３により走査体１１を駆動させる為のステッピングモータ１４をパルス駆動するステッピングモータ駆動回路１５の制御、信号線５０４を介して露光ランプドライバ２１によりハロゲン露光ランプ１０のＯＮ／ＯＦＦ制御、光量制御、信号線５０５を介してのデジタイザ１６及び内部キー、表示部の制街等、カラーリーダ部１の全ての制御を行っている。
　原稿露光走査時に前述した露光走査ユニット１１によって読取られたカラー画像信号は、センサ出力増幅回路７、信号線５０１を介してビデオ処理ユニット１２に入力される。
　次に第２図を用いて上述した原稿走査ユニット１１、ビデオ処理ユニット１２の詳細について説明する。
　ビデオ処理ユニット１２に入力されたカラー画像信号は、サンプルホールド回路Ｓ／Ｈ４３により、Ｇ（グリーン）、Ｂ（ブルー）、Ｒ（レッド）の３色に分離される。分離された各カラー画像信号は、アナログカラー信号処理回路４４においてアナログ処理を行った後、Ａ／Ｄ変換されてデジタル・カラー画像信号となる。
　本実施例では、原稿走査ユニット１１内のカラー読取りセンサ６は、５つの領域に分割した千鳥状に構成されている。このカラー読取りセンサ６とＦＩＦＯメモリ４６を用い、先行走査している２、４チャンネルと、残る１、３、５チャンネルの読取り位置ずれを補正している。
　ＦＩＦＯメモリ４６から出力される位置ずれの補正済の信号は、黒補正／白補正回路に入力され、前述した白色板８、黒色板９からの反射光に応じた信号を利用してカラー読取りセンサ６の暗時ムラや、ハロゲン露光ランプ１０の光量ムラ、センサの感度のバラツキ等が補正される。
　カラー読取りセンサ６の入力光量に比例したカラー画像データはビデオインターフェイス１０１に入力され、画像記憶装置３と接続される。
　このビデオインターフェイス１０１は、第３図〜第６図に示す各機能を備えている。即ち、
（１）黒補正／白補正回路からの信号５５９を画像記憶装置３に出力する機能（第３図）、
（２）画像記憶装置３からの画像情報を対数変換回路８６に入力する機能（第４図）、
（３）プリンタインターフェイス５６からの画像情報を画像記憶装置３に出力する機能（第５図）、
（４）黒補正／白補正回路からの信号５５９を、対数変換回路８６に送る機能（第６図）、
の４つの機能を有する。この４つの機能の選択はＣＰＵ制御ライン５０８によって第３図〜第６図に示す様に切換わる。
＜画像記憶部３の説明＞
　次に、本実施例におけるカラーリーダ１での読取り（取込み）制御、及び読取られた画像情報の画像記憶装置３への記憶制御について説明する。
　カラーリーダ１による読取りの設定は、以下に述べるデジタイザにより行われる。第７図は、デジタイザ１６の外観を示す正面図である。
　第７図において、４２７はカラーリーダ１からの画像データを画像記憶装置３へ転送する為のエントリーキーである。座標検知板４２０は、読取り原稿上の任意の領域を指定したり、あるいは読取り倍率等を設定するためのものである。ポイントペン４２１はその座標を指定するものである。
　原稿上の任意の領域の画像データを画像記憶装置３へを転送するのは、エントリーキー４２７を押した後、ポイントペン４２１により読取る位置を指示する。この読取り領域の情報は、第１図の通信ライン５０５を介してビデオ処理ユニット１２へ送られる。ビデオ処理ユニット１２では、この信号をＣＰＵ制御ライン５０８によりビデオインタフェース１０１から、画像記憶装置３へ送る。
　また、エントリーキー４２７を押した後、ポイントペン４２１により読取る位置を指示しない場合は、カラーリーダ１は、原稿９９９の原稿の大きさをプリスキャンにより検知し、この情報を画像読取り領域情報として、ビデオインターフェース１０１を介して画像記憶装置３へ送る。
　次に、原稿９９９の指示した領域の情報を画像記憶装置３に送るプロセスを説明する。
　第８図は、デジタイザ１６のポイントペン４２１によって指示された領域の情報（Ａ、Ｂ点）のアドレスの例を示す。
　ビデオインターフェース１０１は、この領域情報以外に、ＶＣＬＫ信号、ＩＴＯＰ５５１、領域信号発生回路５１からの信号であるＥＮ＊信号１０４等（なお、＊は負論理信号を示す）を画像データとともに画像記憶装置３へ出力する。
　第９図、これらの出力信号ラインを示すタイミングチャートである。
　第９図に示すように、操作部２０のスタートボタンを押すことにより、ステッピングモータ１４が駆動され、原稿走査ユニット１１が走査を開始し、原稿先端に達したときＩＴＯＰ言号５５１が“１”となり、原稿走査ユニット１１がデジタイザ１６によって指定した領域に達し、この領域を走査中ＥＮ＊信号１０４が“１”となる。このため、ＥＮ＊信号１０４が“１”の間の読取りカラー画像情報（ＤＡＴＡ１０５、１０６、１０７）を取り込めばよい。
　以上の第９図に示す様に、カラーリーダ１からの画像データ転送は、ビデオインターフェース１０１を第３図に示す様に制御することにより、ＩＴＯＰ５５１、ＥＮ＊番号１０４の制御信号及びＶＣＬＫ信号に同期してＲデータ１０５、Ｇデータ１０６、Ｅデータ１０７がリアルタイムで画像記憶装置３へ送られる。
　次に、これら画像データと制御信号により、画像記憶装置が具体的にどのように記憶するかを第１０図（Ａ）、（Ｂ）を参照して説明する。
　コネクタ４５５０はカラーリーダ１のビデオインターフェース１０１とケーブルを介して接続され、Ｒデータ１０５、Ｇデータ１０６、Ｂデータ１０７はそれぞれ信号ライン９４３０Ｒ、９４３０Ｇ、９４３０Ｂを介してセレクタ４２５０と接続されている。ビデオインターフェース１０１から送られるＶＣＬＫ、ＥＮ＊信号１０４、ＩＴＯＰ５５１は、信号ライン９４５０を通り直接システムコントローラ４２１０に入力されている。
　また、原稿の読取りに先だって、デジタイザ１６によって指示した領域情報は通信ライン９４６０を通りリーダコントローラ４２７０に入力され、ここからＣＰＵバス９６１０を介してＣＰＵ４３６０に読取られる。
　信号ライン９４３０Ｒ、９４３０Ｇ、９４３０Ｂを介してセレクタ４２５０に入力されたＲデータ１０５、Ｇデータ１０６、Ｂデータ１０７は、セレクタ４２５０により選択された後、番号ライン９４２０Ｒ、９４２０Ｇ、９４２０Ｂに出力され、ＦＩＦＯメモリ４０５０Ｒ、４０５０Ｇ、４０５０Ｂに入力される。
　第１１図は、このセレクタ４２５０の詳細な構成を示す回路図である。
　図示の如く、カラーリーダ１から画像記憶装置３へ画像情報を記憶する場合、システムコントローラ４２１０からの制御信号ＳＥＬＥＣＴ−Ａ（９４５１Ａ）を“１”、ＳＥＬＥＣＴ−Ｂ（９４５１Ｃ）を“１”、ＳＥＬＥＣＴ−Ｃ（９４５１Ｃ）を“０”にセットし、トライステートバッファ４２５１Ｅ、Ｖ、Ｒ、Ｇ、Ｂのみを生かし、他のトライステートバッファ４２５５Ｅ、Ｖ、Ｒ、Ｇ、Ｂ及び４２５６Ｅ、Ｖ、Ｒ、Ｇ、Ｂはハイインピーダンスとする。
　同様に、制御信号９４５０のうち、ＶＣＬＫ、ＥＮ＊番号も、ＳＥＬＥＣＴ信号（９４５１Ａ、Ｂ、Ｃ）によって選択される。今、カラーリーダ１からの画像情報を画像記憶装置３に記憶する場合は第１１図に示す様に、ＶＣＬＫ、ＥＮ＊信号はカラーリーダ１から出力される言号であり、トライステートバッファ４２５１Ｅ、Ｖのみが生き、ＣＬＫＩＮ、ＥＮＩＮ＊の各信号ライン９４５６、９４５７を通り、システムコントローラ４２１０に入力される。
　また、制御信号ＶＳＹＮＣＩＮ＊（９４５５）、ＨＳＹＮＣＩＮ＊（９４５２）は、コネクタ４５５０から直接システムコントローラ４２１０に入力される。さらに、セレクタ４２５０には、カラーリーダ１からの画像情報を平均化する機能も有する。カラーリーダ１から入力された信号９４３０Ｒ、９４３０Ｇ、９４３０Ｂは、信号ライン９４２１Ｒ、９４２１Ｇ、９４２１Ｂを通り、ＦＩＦＯメモリ４２５２Ｒ、４２５２Ｇ、４２５２Ｂに入力される。
　ＦＩＦＯメモリ４２５２Ｒ、４２５２Ｇ、４２５２Ｂからの出力は、画像情報９４２１Ｒ、９４２１Ｇ、９４２１Ｂに対し、１主走査遅れの信号であり、信号ライン９４２２Ｒ、９４２２Ｇ、９４２２Ｂを通り、加算器４２５３Ｒ、４２５３Ｇ、４２５３Ｂに入力される。また加算暑４２５３Ｒ、４２５３Ｇ、４２５３Ｂには、セレクタ４２５１Ｒ、４２５１Ｇ、４２５１Ｂからの信号９４２１Ｒ、９４２１Ｇ、９４２１Ｂが入力されている。加算器４２５３Ｒ、４２５３Ｇ、４２５３Ｂは、主走査方向２画素、副走査方向２画素、すなわち４画素の平均をとり、信号ライン９４２３Ｒ、９４２３Ｇ、９４２３Ｂに出力する。
　セレクタ４２５４Ｒ、４２５４Ｇ、４２５４Ｂは、カラーリーダ１からの画像信号９４２１Ｒ、９４２１Ｇ、９４２１Ｂまたは加算平均された９４２３Ｒ、９４２３Ｇ、９４２３Ｂの選択を行い、信号９４２０Ｒ、９４２０Ｇ、９４２０Ｂとし、ＦＩＦＯメモリ４０５０Ｒ、４０５０Ｇ、４０５０Ｂに入力される。
　システムコントローラ４２１０は、セレクタ４２５４Ｒ、４２５４Ｇ、４２５４Ｂからの画像データ９４２０Ｒ、９４２０Ｇ、９４２０Ｂのうち、画像の有効領域のみをＦＩＦＯメモリ４０５０Ｒ、４０５０Ｇ、４０５０Ｂに転送する。またこの時、システムコントローラ４２１０は、トリミング処理及び変倍処理も同時に行う。
　さらに、ＦＩＦＯメモリ４０５０Ｒ、４０５０Ｇ、４０５０Ｂは、カラーリーダ１と画像記憶装置３のクロックの違いを吸収する。
　以下、本実施例のこれらの処理を第１２図の回路図及び第１３図のタイミングチャートを参照して具体的に説明する。
　即ち、セレクタ４２５３Ｒ、４２５３Ｇ、４２５３ＢからＦＩＦＯメモリ４０５０Ｒ、４０５０Ｇ、４０５０Ｂへのデータ転送に先だち、デジタイザ１６で指示された領域の主走査方向の有効領域をＣＰＵバス９６１０によってコンパレータ４２３２、４２３３に書き込む。
　コンパレータ４２３２には、デジタイザ１６で指示された領域の主走査方向におけるスタートアドレスを設定し、コンパレータ４２３３には、ストップアドレスを設定する。
　また、デジタイザ１６で指示された領域の副走査方向は、セレクタ４２１３を制御してＣＰＵバス９６１０側を選択して有効とし、ＲＡＭ４２１２に指示された領域の有効領域には“０”データを書き込み、無効領域には“１”を書き込む。　
　主走査方向における変倍処理は、レートマルチプライヤ４２３４にＣＰＵバス９６１０を介し、変倍率をセットする。また、副走査方向における変倍処理は、ＲＡＭ４２１２へ書き込むデータにより可能である。
　第１３図は、トリミング処理を施した場合のタイミングチャートである。先に述べたように、デジタイザ１６で指示された領域のみをメモリに記憶する場合（トリミング処理）、主走査方向のトリミング位置はコンパレータ４２３２と４２３３にセットし、副走査方向のトリミング位置はセレクタ４２１３をＣＰＵバス９６１０側にし、ＣＰＵにより、ＲＡＭ４２１２に書き込む。
　以下、具体例として、トリミング位置が主走査方向で１０００〜３０４７、副走査方向で１０００〜５０９５である場合について説明する。
　主走査方向のトリミング区間信号９１００は、ＨＳＹＮＣＩＮ＊９４５２とＣＬＫＩＮ９４５６に同期してカウンタ４２３０が動作し、このカウンタ出力９１０３が１０００となったとき、コンパレータ４２３２の出力が“１”となり、フリップフロップ４２３５の出力Ｑが“１”となる。続いてカウンタ出力９１０３が３０４７になったとき、コンパレータ４２３３の出力が“１”となり、フリップフロップ４２３５の出力は“１”から“０”となる。また、第１３図のタイミングチャートでは、等倍処理を行っている為、レートマルチプライヤ４２３４の出力は“１”である。トリミング区間信号９１００によってＦＩＦＯメモリ４０５０Ｒ、４０５０Ｇ、４０５０Ｂに入力されるカラー画像情報の１０００番地から３０４７番地までがＦＩＦＯメモリ４０５０Ｒ、４０５０Ｇ、４０５０Ｂに書き込まれる。
　また、コンパレータ４２３１からはＨＳＹＮＣＩＮ＊９４５２に対し、１画素分遅れた信号９１０２を出力する。このように、ＦＩＦＯメモリ４０５０Ｒ、４０５０Ｇ、４０５０ＢのＲＳＴＷ＊入力およびＲＳＴＲ＊入力に位相差を持たせることにより、ＦＩＦＯメモリ４０５０Ｒ、４０５０Ｇ、４０５０Ｂに入力されているＣＬＫＩＮ９４５６とＣＬＫ９４５３の周期の違いを吸収する。
　次に副走査方向のトリミングは、まず、セレクタ４２１３を制御したカウンタ４２１４側を選択して有効とし、ＶＳＹＮＣＩＮ＊９４５５、ＨＳＹＮＣＩＮ＊９４５２に同期した区間信号９１０４をＲＡＭ４２１２から出力する。区間信号９１０４はフリップフロップ４２１１で信号９１０２と同期をとり、ＦＩＦＯメモリ４０５０Ｒ、４０５０Ｇ、４０５０Ｂに記憶された画像情報はトリミング信号９１０１が“０”の区間のみ出力される（ｎ’〜ｍ’）。
　以上の説明においては、トリミング処理のみを説明したが、トリミングと同時に変倍処理も可能である。主走査方向の変倍は、ＣＰＵバス９６１０を介してレートマルチプライヤ４２３４に変倍率を設定する。また、副走査はＲＡＭ４２１２へ書き込むデータにより変倍処理が可能である。
　第１４図は、トリミング処理及び５０％の変倍処理を施した場合の動作を示すタイミングチャートである。この第１４図はセレクタ４２５４Ｒ、Ｇ、Ｂからの画像データを変倍処理して５０％縮少し、ＦＩＦＯメモリ４０５０Ｒ、４０５０Ｇ、４０５０Ｂに転送した例を示している。
　第１２図のレートマルチプライヤ４２３４にＣＰＵバス９６１０を介して５０％減少の設定値をセットする。このときレートマルチプライヤ４２３４の出力信号９１０６は、第１４図に示すように主走査方向１画素毎に“０”と“１”が繰り返された波形となる。この信号９１０６とコンパレータ４２３２、４２３３で作られた区間信号９１０５との論理積信号９１００で、ＦＩＦＯメモリ４０５０Ｒ、４０５０Ｇ、４０５０Ｂへのライトイネーブルを制御することにより縮小を行う。また、副走査は第１４図に示すように、ＲＡＭ４２１２への書き込みデータ（ＦＩＦＯメモリ４０５０Ｒ、４０５０Ｇ、４０５０Ｂへのリードイネーブル信号）を画像データ有効領域内で“１”（読み出し禁止）にすることにより、５０％縮小された画像データのみが画像メモリ４０６０Ｒ、４０６０Ｇ、４０６０Ｂに送られる。第１４図の場合においては、リードイネーブル信号９１０１は“１”、“０”データを交互にくり返すことにより、５０％縮少を行っている。すなわち、主走査方向のトリミング及び変倍処理は、ＦＩＦＯメモリ４０５０Ｒ、４０５０Ｇ、４０５０Ｂのライトイネーブルを制御し、副走査方向のトリミング及び変倍処理は、ＦＩＦＯメモリ４０５０Ｒ、４０５０Ｇ、４０５０Ｂのリードイネーブルを制御する。
　次にＦＩＦＯメモリ４０５０Ｒ、４０５０Ｇ、４０５０Ｂからメモリ４０６０Ｒ、４０６０Ｇ、４０６０Ｂへの画像データの転送は、カウンタ０（４０８０−０）と御御ライン９１０１によって行われる。
　制御ライン９１０１は、ＦＩＦＯメモリ４０５０Ｒ、４０５０Ｇ、４０５０Ｂのリードイネーブル信号であり、かつカウンタ４０８０−０のイネーブル信号及びメモリ４０６０Ｒ、４０６０Ｇ、４０６０Ｂのライトイネーブル信号でもある。
　制御ライン９１０１が“０”のとき、ＦＩＦＯメモリ４０５０Ｒ、４０５０Ｇ、４０５０Ｂから読み出された画像データは、トライステートバッファ９０９０Ｅ、９０９０Ｇ、９０９０Ｂを通り、メモリ４０６０Ｒ、４０６０Ｇ、４０６０Ｂに入力される。このとき、カウンタ４０８０−０のイネーブル信号も“０”となっており、ＣＬＫ９４５３に同期してカウントアップした信号９１２０−Ｑがカウンタ４０８０−０から出力され、セレクタ４０７０を通り、メモリ４０６０Ｒ、４０６０Ｇ、４０６０ＢのＡＤＲ９１１０に入力される。
　またこのとき、メモリ４０６０Ｒ、４０６０Ｇ、４０６０Ｂのライトイネーブル信号ＷＥ＊も“０”となっているから、メモリ４０６０Ｒ、４０６０Ｇ、４０６０Ｂに入力されている画像データ９０９０Ｒ、９０９０Ｇ、９０９０Ｂが記憶されている。
　なお、本実施例におけるメモリ容量は各色１Ｍバイトであるため、第８図における読取り領域の画像データを５０％縮少することにより、読取り画像データは画像記憶装置３がもつメモリの最大容量のデータに変換され、記憶されている。
　また、以上の実施例では、ＣＰＵ４３６０は、Ａ３原稿のデジタイザ１６で指示された領域の情報から有効領域を算出し、コンパレータ４２３１〜４２３３、レートマルチプライヤ４２３４及びＲＡＭ４２１２に対応するデータをセットする。
　本実施例では、読取り画像のデータ容量が具備する画像メモリ容量よりも多いため縮少処理を行い、記憶可能な容量に変換した後、画像メモリに記憶した。しかレ、読取り画像のデータ容量が、具備する画像メモリ容量よりも少ない場合には、第１５図のＣＬＲ信号９１７を“１”にすることによって複数の画面を同時に画像メモリ内に記憶することが可能である。この場合はデジタイザ１６で指示された領域のメモリヘの書き込みを制御するコンパレータ４２３２、４２３３にはトリミング情報データを設定し、レートマルチプライヤ４２３４には等倍の設定する。また、ＲＡＭ４２１２への書き込みデータは、画像有効領域は全て“０”を、それ以外は“１”とし、等倍の設定とする。
　また、読取り画像のアスペクト比（縦・横の比）を保ったままメモリに記憶するために、まずＣＰＵ４３６０はデジタイザ１６から送られて来た領域情報から、有効画素数“Ｘ”を求める。次に画像記憶メモリの最大容量“ｙ”から、次式によりＺを求める。
　ｙ／ｘ×１００＝ｚ
　この結果、
（１）ｚ≧１００のときは、レートマルチプライヤ４２３４の設定は１００％とし、有効画像領域の全てを“０”とし、等倍でＲＡＭ４２１２に記憶する。
（２）ｚ＞１００のときは、レートマルチプライヤ４２３４の設定及びＲＡＭ４２１２ともにｚ％の縮小を行ない、アスペクト比を保ったまま、メモリの最大容量に記憶する。
　この場合においても、ＲＡＭ４２１２に書き込むデータは、縮小率“ｚ”に対応して“１”、“０”のデータを適宜書き込めばよい。
　このように制御することにより、画像記憶装置３内のみの制御で入力画像のアスペクト比を保ったまま、任童の変倍処理が容易な御御で可能となり、読取り画像の効果的な認識が可能となる。また、同時にメモリ容量の利用効率を最大とすることが可能である。
＜ＳＶ録再生機インターフェイスの説明＞
　本実施例システムは、第１図に示すようにＳＶ録再生機３１からのビデオ画像を画像記憶装置３に記憶し、モニタテレビ３２やカラープリンタ２へ出力することも可能である。また、画像処理装置３は入力した画像のハンドリングをも行う。
　次に、ＳＶ録再生機３１からのビデオ画像を画像記憶装置３へ取り込む場合の処理について説明する。
　まず、ＳＶ録再生機３１からのビデオ画像を画像記憶装置３へ取り込む制御について、第１０図（Ａ）、（Ｂ）の画像記憶装置３のブロック構成図を参照して説明する。
　ＳＶ録再生機３１からのビデオ画像は、アナログインターフェイス４５００を介してＮＴＳＣコンポジット信号９０００の形で入力され、デコーダ４０００によりセパレートＲ、Ｇ、Ｂ信号及びコンポジットＳＹＮＣ信号の４つの信号である９０１５Ｒ、Ｇ、Ｂ、Ｓに分離される。
　また、デコーダ４０００は、アナログインターフェイス４５１０からのＹ（輝度）／Ｃ（クロマ）信号９０１０も合わせて上記と同様にデコードする。セレクタ４０１０への９０２０Ｒ、９０２０Ｇ、９０２０Ｂ、９０２０Ｓの各信号は、セパレートＲ、Ｇ、Ｂ信号及びコンポジットＳＹＮＣ信号の形での入力信号である。なお、スイッチ４５３０は信号９０２０Ｒ〜Ｓと９０１５Ｒ〜Ｓのどちらかの入力を選択して切り替えるためのセレクタ４０１０を制御するスイッチである。スイッチ４５３０が開放状態のとき信号９０３０Ｒ〜Ｓを選択し、閉成しているときに信号９０１５Ｒ〜Ｓを選択する。
　セレクタ４０１０によって選択されたセパレートＲ、Ｇ、Ｂ信号としての９０５０Ｒ、９０５０Ｇ、９０５０Ｂの各信号は、Ａ／Ｄコンバータ４０２０Ｒ、４０２０Ｇ、４０２０Ｂによってアナログ／デジタル変換される。
　また、選択されたコンポジットＳＹＮＣ信号９０５０Ｓは、ＴＢＣ／ＨＶ分離回路４０３０に入力され、該ＴＢＣ／ＨＶ分離回路４０３０により、コンポジットＳＹＮＣ信号９０５０からクロック信号９０６０Ｃ、水平同期位信号９０６０Ｈ及び垂直同期信号９０６０Ｖが生成される。これらの同期信号は、システムコントローラ４２１０に供給される。
　本実施例のＴＢ　Ｃ／ＨＶ分離回路４０３０より出力されるＴＶＣＬＫ９０６０ｃ番号は、例えばノーマルバンド記録の場合、１２．２５ＭＨｚのクロック信号、ＴＶＨＳＹＮＣ＊９０６０Ｈ信号はパルス幅６３．５μＳの信号、ＴＶＶＳＹＮＣ＊９０６０Ｖ信号はパルス幅１６．７ｍＳの信号である。
　ＦＩＦＯメモリ４０５０Ｒ、４０５０Ｇ、４０５０Ｂは、ＴＶＨＳＹＮＣ＊９０６０Ｈ信号によってリセットされ、“０”番地からＴＶＣＬＫ９０６０Ｃ信号に同期して、データ９４２０Ｒ、９４２０Ｇ、９４２０Ｂを書き込む。このＦＩＦＯメモリ４０５０Ｒ、４０５０Ｇ、４０５０Ｂの書き込みは、システムコントローラ４２１０から出力されるＷＥ＊信号９１００の付勢されている時に行われる。
　次に、このＷＥ＊信号によるＦＩＦＯメモリ４０５０Ｒ、４０５０Ｇ、４０５０Ｂの書き込み制御の詳細を、ノーマルバンド記録を例として説明する。
　本実施例におけるＳＶ録再生機３１はＮＴＳＣ規格である。このため、ＳＶ録再生機３１からのビデオ画像をデジタル化した場合、ノーマルバンド記録においては６４０画素（Ｈ）×４８０画素（Ｖ）の画面容量となる。従って、画像記憶装置３のＣＰＵ４３６０は、予めＳＶ録再生機３１より得られる特報に基いてノーマルバンド記録と判断すると、コンパレータ４２３２、４２３３に主走査方向６４０画素となるように設定値を書き込み、次いでセレクタ４２１３の入力をＣＰＵバス９６１０側にし、ＲＡＭ４２１２に副走査方向４８０画素分の“０”を書き込む。
　一方、ハイバンド記嚢の場合には、７６８画素（Ｈ）×４８０画素（Ｖ）の画面容量となる。従って、この場合にも、ノーマルバンド記録の場合と同様に、コンパレータ４２３２、４２３３に主走査方向７６８画素となるように設定値を書き込むとともに、ＲＡＭ４２１２に副走査方向４８０画素分の“０”を書き込む。
　また、このような記憶領域の設定の後、主走査方向の倍率を設定するレートマルチプライヤ４２３４に１００％のデータを設定する。
　ＳＶ録再生機３１の画像情報をメモリ４０６０Ｒ、４０６０Ｇ、４０６０Ｂに記憶する場合、システムコントローラ４２１０は、ＴＢＣ／ＨＶ分離回路４０３０から出力される。ＴＶＶＳＹＮＣ＊９０６０Ｖ、ＴＶＨＳＹＮＣ＊９０６０Ｈ、ＴＶＣＬＫ９０６０Ｃは、第１２図に示すＶＳＹＮＣＩＮ＊９４５５、ＨＳＹＮＣＩＮ＊９４５２、ＣＬＫＺＮ９４５６に接続される。
　上述したように、画像制御番号をＳＶ録再生機インターフェイス側にすることにより、Ａ／Ｄコンバータ４０２０Ｒ、４０２０Ｇ、４０２０Ｂからの出力信号である９４２０Ｒ、９４２０Ｇ、９４２０Ｂのビデオ画像の１主走査分のデータが、ＦＩＦＯメモリ４０５０Ｒ、４０５０Ｇ、４０５０Ｂに等倍で記憶される。
　一方、入力ＳＶビデオ画像を縮小して、ＦＩＦＯメモリ４０５０Ｒ、４０５０Ｇ、４０５０Ｂに記憶する場合は、レートマルチプライヤ４２３４に縮少率を設定するとともに画像有効領域内のＲＡＭ４２１２のデータを縮少率に応じて“１”にすることにより、縮小が可能である。
　ＦＩＦＯ４０５０Ｒ、４０５０Ｇ、４０５０Ｂからメモリ４０６０Ｒ、４０６０Ｇ、４０６０Ｅへのデータ転送は、上述したカラーリーダ１からメモリ４０６０Ｒ、４０６０Ｇ、４０６０Ｂへのデータ書込み制御と同様である。
　また、本実施例では、ＳＶ録再生機３１に装着されているＳＶフロッピーの各トラックの特報の種類を画像記憶装置３のＣＰＵ４３６０が信号ライン６５１、ＳＶインターフェイス４３００を介し知ることが可能である。
　ＣＰＵ４３６０は、ＳＶインターフェイス４３００を介し、ＳＶ録再生機３１にトラックの内容を出力させるコマンドを送る。本実施例におけるＳＶ録再生機３１は、上記コマンドに対し、１０トラック分のステータスを返すため、１６画面の画像登録では上記コマンドを２回送り、２０トラック分の情報を得る。
　第１６図（Ａ）は、この動作を示すフローチャートである。
　まず、ＣＰＵ４３６０は、ＳＶ録再生機３１にトラックの内容を出力させるコマンドを送り（Ｓ１１）、このコマンドが適正に受け入れられた場合には（Ｓ１２）、上記１０トラック分のステータスが返送されてくるので、これを入力する（Ｓ１３）。そして、ＣＰＵ４３６０は、次のトラックの内容を出力させるコマンドをＳＶ録再生機３１に送り（Ｓ１４）、このコマンドが適正に受け入れられた場合には（Ｓ１５）、次の１０トラック分のステータスが返送されてくるので、これを入力する（Ｓ１６）。なお、Ｓ１２、Ｓ１５において、コマンドが適正に受け入れられず、コマンドエラーが生じた場合には（Ｓ１７、Ｓ１８）、エラー処理ルーチンに移行する。
　第１６図（Ｂ）は、各トラックのステータス情報を示す説明図である。
　このステータス情報から、ＣＰＵ４３６０は所望するトラックの情報の種類を知ることが可能である。
　例えば、このステータス情報のうち、ビットｂ４からノーマルバンド記録かハイバンド記録かを判定することができる。従って、この情報に基いて上述した記憶領域を設定する処理を行なう。
　また、ＳＶフロッピーの各トラックの情報をＳＶ録再生機３１にて再生し、メモリ４０６０Ｒ、４０６０Ｇ、４０６０Ｂに記憶する際、ＣＰＵ４３６０が上記ステータス情報からＳＶ録再生機３１の出力を画像情報であると判断した場合には、画像記憶装置３は、その画像情報を量子化し、メモリ４０６０４０６０Ｒ、４０６０Ｇ、４０６０Ｂに記憶する。
　また、ＣＰＵ４３６０がＳＶ録再生機３１の出力を画像情報以外の音声情報やデジタル情報であると判断した場合には、メモリ４０６０４０６０Ｒ、４０６０Ｇ、４０６０Ｂに音声情報やデジタル情報であることを知らせるデータを書き込み、ＳＶ録再生機３１の生情報はメモリ４０６０４０６０Ｒ、４０６０Ｇ、４０６０Ｂに記憶しない。
　第１６図（Ｃ）は、ＳＶ録再生機３１からの画像情報およびＣＰＵ４３６０で生成されたデータの記憶状態を示す模式図である。
　また、本実施例のＳＶ録再生機３１はＮＴＳＣ規格のものであり、主走査方向、副走査方向のデジタル画像のアスペクト比は４：３の場合を例に説明したが、将来のテレビジョンの規格と予想されるＨＤＴＶ規格のアスペクト比１６：９に対しても、第１２図のコンパレータ４２３２、４２３３及びＲＡＭ４２１２の内容を書きかえることにより対応可能である。
　また、本実施例のメモリ容量の２Ｍバイトに対し、ＮＴＳＣ規格の１画面の容量は約０．３Ｍバイトであるため、６画面の画像を記憶することが可能である。この６画面の記憶も第１５図に示すＣＬＲ＊９１７１を“１”にすることにより可能である。
　また、ＨＤＴＶ規格における１８４０画素（主走査方向）×１０３５（副走査）の場合は、ＣＬＲ＊９１７１を“０”にすることによって２Ｍバイトのメモリに１画面記憶することができる。
　以上説明したように。ＳＶ録再生機３１から得られる情報により、画像格納領域を適宜設定することができ、限られたメモリ容量を、より効率よく活用することができる。
＜画像記憶装置３からの読出し処理＞
　次に、以上説明した画像記憶装置３のメモリ４０６０Ｒ、４０６０Ｇ、４０６０Ｂからの画像データの読出し処理について説明する。
　このメモリからの画像出力をカラープリンタ２で画像形成を行う場合の指示入力等は、主に上述した第７図に示すデジタイザ１６によって行われる。
　第７図においてキー４２８は、メモリ４０６０Ｒ、４０６０Ｇ、４０６０Ｂからの画像データをカラープリンタ２で記録紙の大きさに応じて画像形成を行うためのエントリーキーである。キー４２９はデジタイザ１６の座標検知板４２０と、ポイントペン４２１で指示された位置に画像を形成するためのエントリーキーである。
　まず最初に記録紙の大きさに応じて画像形成を行う例を説明し、次にデジタイザで指示された領域に画像を形成する例を説明する。
＜記録紙の大きさに対応した画像形成処理＞
　本実施例においては、カラープリンタ２は第１図に示す様に２つのカセットトレイ７３５、７３６をもち、２種類の記録紙がセットされている。ここでは、上段にＡ４サイズ、下段にＡ３サイズの記録紙７９１がセットされている。この記録紙の選択は操作部２０の液晶タッチパネルにより選択入力される。なお、以下の説明はＡ４サイズの記録紙への複数の画像形成をする場合について行う。
　まず、画像形成に先立ち、上述したＳＶ録再生機３１から画像記憶装置３への読取り画像データの入力により、カラーリーダ１から後述する画像メモリ４０６０Ｒ、４０６０Ｇ、４０６０Ｂに、例えば第１６図（Ｃ）に示す様に、それぞれ「画像０」〜「画像１５」の合計１６の画像データを記憶させる。
　次にデジタイザ１６のエントリーキー４２８を押す。これにより不図示のＣＰＵがこのキー入力を検知し、Ａ４サイズの記録紙に対し、自動的に画像形成装置３の設定を行う。
　第１６図（Ｃ）に示す１６の画像を形成する場合には、例えば画像形成位置を第１７図に示すように設定する。
　次に、本実施例における以上の画像形成処理の詳細を第１０図のブロック図、及び第１８図に示すタイミングチャートを参照して説明する。
　第２図に示すカラープリンタ２からプリンタインターフェイス５６を介してカラーリーダ１に送られて来るＩＴＯＰ信号５５１は、ビデオ処理ユニット１２内のビデオインターフェイス１０１に入力され、ここから画像記憶装置３へ送られる。画像記憶装置３では、このＩＴＯＰ信号５５１により画像形成処理を開始する。そして、画像記憶装置３に送られた各画像は、画像記憶装置３内の第１０図（Ａ）、（Ｂ）に示すシステムコントローラ４２１０の制御で画像形成される。
　第１０図（Ａ）、（Ｂ）において、カウンタ０（４０８０−０）の出力がセレクタ４０７０によって選択され、メモリアドレス線９１１０によりメモリ４０６０Ｒ、４０６０Ｇ、４０６０Ｂが読出しのためにアクセスされる。このアクセスにより各メモリ４０６０Ｒ、４０６０Ｇ、４０６０Ｂに記憶された画像データが読出され、各メモリからの読出し画像信号９１６０Ｒ、９１６０Ｇ、９１６０Ｂはルックアップテーブル（ＬＵＴ）４１１０Ｒ、４１１０Ｇ、４１１０Ｂに送られ、ここで人間の目の比視感度特性に合わせるための対数変換が行われる。この各ＬＵＴよりの変換データ９２００Ｒ、９２００Ｇ、９２００Ｂは、マスキング／黒抽出／ＵＣＲ回路４１２０に入力される。そして、このマスキング／黒抽出／ＵＣＲ回路４１２０で画像記憶装置３のカラー画像信号の色補正を行うとともに、黒色記録時はＵＣＲ／黒抽出を行う。
　そして、これら連続してつながっているマスキング／黒抽出／ＵＣＲ回路４１２０からの画像信号９２１０は、セレクタ４１３０によって各画像毎に分離され、各ＦＩＦＯメモリ４１４０−０〜３に入力される。今までシーケンシャルに並んでいた各画像は、このＦＩＦＯ４１４０−０〜３の作用により並列に処理可能となる。
　この各メモリからの読出し画像信号９１６０Ｒ、９１６０Ｇ、９１６０Ｂと各ＦＩＦＯからの並列出力画像情報９２６０−０〜３が、全て並列処理可能な状態となる。
　この並列となった各画像信号９２６０−０〜３は、次の拡大・補間回路４１５０−０〜３に入力される。拡大・補間回路４１５０−０〜３はシステムコントローラ４２１０により、第１７図に示す各画像のレイアウトとなるよう制御され、第１８図に示す信号９３１０−０〜３の様に拡大・補間される。なお、本実施例
では、１次補間法を用いている。
　ところで、ハイバンドとノーマルバンドとでは画素数が異なるため、同じ拡大倍率では出力画像の大きさに違いが生じ、見苦しいレイアウトとなってしまう。そこでこの実施例では、上述のようにして得られた各画像のステータス情報に基いて、ハイバンドとノーマルバンドとでそれぞれ別の拡大倍率を独自に設定し、常に一定の大きさの出力画像を得るようになっている。
　次に、上述のように補間された信号９３００−０〜３は、セレクタ４１９０に入力され、ここまで並列に処理された各画像データを再びシリアルの画像データ信号とする。セレクタ４１９０によりシリアル画像データに変換された画像信号９３３０は、エッジフィルタ回路４１８０によって、エッジ強調及びスムージング（平滑化）処理が行われる。そしてＬＵＴ４２００を通り、信号ライン９３８０を介してセレクタ４２５０に入力される。
　セレクタ４２５０に入力された信号は、トライステートのゲート４２５６Ｒ、４２５６Ｇ、４２５６Ｂ及び４２５５Ｒ、４２５５Ｇ、４２５５Ｂを通り、信号ライン９４３０Ｒ、９４３０Ｇ、９４３０Ｂを介してコネクタ４５５０に出力される。
　同様に、システムコントローラ４２１０から出力されるＥＮＯＵＴ＊９４５４、ＣＬＫ９４５３も、トライステートのゲート４２５６Ｅ、４２５６Ｖ及び４２５５Ｅ、４２５５Ｖを通り、信号ライン９４５０を介してコネクタ４５５０に出力される。
　このとき、第１１図に示すトライステートのゲートを制御する制御ラインＳＥＬＥＣＴ−Ａ（９４５１Ａ）、ＳＥＬＥＣＴ−Ｂ（９４５１Ｂ）、ＳＥＬＥＣＴ−Ｃ（９４５１Ｃ）は、“０”、“０”、“１”に設定する。
　以下、「画像０」〜「画像３」の全ての画像データの形成が終了すると、次に「画像４」〜「画像７」、「画像８」〜「画像１１」、「画像１２」〜「画像１５」の順で順次画像形成され、第１７図に示す「画像０」〜「画像１５」の１６個の画像形成が行われる。
＜任意の位置のレイアウトによる画像形成＞
　以上の説明は、第１７図に示すように画像を自動的に形成可能に展開し、画像形成する制御を説明したが、本実施例は以上の例に限るものではなく、任意の画像を任意の位置に展開して画像形成することもできる。
　以下、この場合の例として、第２０図に示す「画像０」〜「画像３」を、図示の如く展開し、画像形成する場合を説明する。
　まず、上述したメモリヘの画像入力制御と同様の制御により、カラーリーダ１から読込んだ４個の画像情報を、画像メモリである４０６０Ｒ、４０６０Ｇ、４０６０Ｂへ、第１９図のように記憶させる。次にデジタイザ１６のエントリーキー４２９を押すことにより、デジタイザ１６よりの読込み画像の画像形成すべき指定位置入力待ちとなる。
　そして、ポイントペン４２１を操作して座標検知板４２０より所望の展開位置を指定入力する。
　次に、この場合の画像形成処理を第１０図（Ａ）、（Ｂ）のブロック構成図、及び第２１図、第２２図に示すタイミングチャートを参照して説明する。
　第２１図は、第２０図に示す“ｌ１”ラインにおける画像形成時のタイミングチャートであり、第２２図は、第２０図に示す“ｌ２”ラインにおける画像形成時のタイミングチャートである。
　ＩＴＯＰ信号５５１は、上述と同様にプリンタ２から出力され、システムコントローラ４２１０は、この信号に同期して動作を開始する。
　なお、第２０図に示す画像のレイアウトにおいて、「画像３」はカラーリーダ１からの画像を９０°回転したものとなっている。
　この画像の回転処理は以下の手順で行われる。まず、第１０図におけるＤＭＡＣ（ダイレクトメモリアクセスコントローラ）４３８０によって、メモリ４０６０Ｒ、４０６０Ｇ、４０６０Ｂからワークメモリ４３９０へ画像を転送する。次に、ＣＰＵ４３６０によってワークメモリ４３９０内で公知の画像の回転処理を行った後、ＤＭＡＣ４３８０によって、ワークメモリ４３９０からメモリ４０６０Ｒ、４０６０Ｇ、４０６０Ｂへの画像の転送を行い、画像の回転処理が行われることになる。
　デジタイザ１６によってレイアウトされ、指示入力された各画像の位置情報は、第１図のビデオ処理ユニット１２を介して画像記憶装置３へ送られる。この各画像に対する展開位置情報を受取ったシステムコントローラ４２１０は、各画像に対応した拡大・補間回路４１５０−０〜３の動作許可信号９３２０−０〜３を発生する。
　本実施例における任意の位置のレイアウトにおいては、例えば、カウンタ０（４０８０−０）が画像１に、カウンタ２（４０８０−２）が画像２に、カウンタ３（４０８０−３）が画像３にそれぞれ対応して動作する。
　第２０図に示す“ｌ１”ラインにおける画像形成時の制御を、第２１図を参照して説明する。
　画像メモリ４０６０Ｒ、４０６０Ｇ、４０６０Ｂからの「画像０」の読出しは、カウンタ０（４０８０−０）によって“０”番地から“０．５Ｍ”番地（第１９図に示す「画像０」の格納領域）までを読出す。このカウンタ４０８０−０〜３の出力の切換えは、セレクタ４０７０によって行われる。
　同様に、「画像１」の読出しは、カウンタ１（４０８０−１）によって“０．５Ｍ”番地から、“１Ｍ”番地までが読出される。この読出しのタイミングを第２１図に９１６０Ｒ、９１６０Ｇ、９１６０Ｂとして示す。
　ここで、カウンタ４０８０−２及びカウンタ４０８０−３は、システムコントローラ４２１０からのカウンタイネーブル信号９１３０−２、９１３０−３によっては動作しない。
　「画像０」及び「画像１」のデータは、ＬＵＴ４１１０Ｒ、４１１０Ｇ、４１１０Ｂを介してマスキング／黒抽出／ＵＣＲ回路４１２０に送られ、ここで面順次の色信号９２１０となる。この面順次信号９２１０は、セレクタ４１３０によって並列化され、各画素毎に分けられてＦＩＦＯメモリ４１４０−０、４１４０−１に送られる。そして、システムコントローラ４２１０からの拡大・補間回路４１５０−０、４１５０−１への動作許可信号９３２０−０、９３２０−１がイネーブルとなると、拡大・補間回路４１５０−０、４１５０−１はＦＩＦＯ読出し信号９２８０−０、９２８０−１をイネーブルとし、読出し制御を開始する。
　ＦＩＦＯメモリ４１４０−０、４１４０−１は、この信号９２８０−０、９２８０−１によって拡大・補間回路４１５０−０、４１５０−１への画像データの転送を開始する。そして、この拡大・補間回路４１５０−０、４１５０−１によって、先にデジタイザ１６で指示された領域に従ったレイアウト及び補間演算が行なわれる。このタイミングを第２１図の９３００−０、９３００−１に示す。
　レイアウト及び補間演算が施された「画像０」、「画像１」データは、セレクタ４１９０によって選択された後、エッジフィルタ回路４１８０を通り、ＬＵＴ４２００に入力される。その後のコネクタ４５５０までの処理は上述と同様であるので説明を省略する。
　次に、第２２図を参照して、第２０図に示す“ｌ２”ラインのタイミングを説明する。
　画像メモリ４０６０Ｒ、４０６０Ｇ、４０６０Ｂから拡大・補間回路４１５０−１、４１５０−２までの処理は上述と同様である。
　ただし、“ｌ２”ラインにおいては、「画像１」と「画像２」が出力されているため、カウンタ１（４０８０−１）とカウンタ２（４０８０−２）、ＦＩＦＯ４１４０−１、４１４０−２、拡大・補間回路４１５０−１、４１５０−２が動作する。これらの制御は、システムコントローラ４２１０からの制御信号に従って行われる。
　第２０図に示す如く、“ｌ２”ラインでは、「画像１」と「画像２」が重なり合っている。この重なった部分において、どちらかの画像を画像形成するか、または両方の画像を画像形成するか、あるいは両方の画像を画像形成するかはシステムコントローラ４２１０からの制御信号９３４０によって選択可能である。
　具体的制御は上述の場合と同様である。
　コネクタ４５５０からの信号は、ケーブルによってカラーリーダ１と接続されている。このため、カラーリーダ１のビデオインターフェイス１０１は、第５図に示す信号ライン経路で画像記憶装置３よりの画像信号１０５をプリンタインターフェイス５６に選択出力する。
　第２３図は、上述した画像形成における画像記憶装置３よりカラープリンタ２への画像情報の転送処理の詳細を示すタイミングチャートである。
　上述したように、操作部２０のスタートボタンを押すことにより、プリンタ２が動作を始め、記録紙の搬送を開始する。そして、記録紙が画像形成部の先端に達するとＩＴＯＰ信号５５１を出力する。このＩＴＯＰ信号５５１は、カラーリーダ１を介して画像記憶装置３に送られる。画像記憶装置３は、設定された条件のもとに各画像メモリ４０６０Ｒ、４０６０Ｇ、４０６０Ｂに格納されている画像データを読み出し、上述レたレイアウト、拡大・補間等の処理を行った後、処理された画像データをカラーリーダ１のビデオ処理ユニット１２に送る。ビデオ処理ユニット１２のビデオインターフェイス１０１は、送られて来たデータの種類（Ｒ、Ｇ、Ｂ）／（Ｍ、Ｃ、Ｙ、ＢＫ）に応じてビデオインターフェイス１０１における処理方法を選択する。
　本実施例では、Ｍ、Ｃ、Ｙ、ＢＫの面順次による出力のため、以上の動作をＭ、Ｃ、Ｙ、ＢＫの順で４回繰返し、画像が形成される。
＜プリンタ部の説明〉
　以上の様にビデオ処理ユニット１２で処理された画像信号をプリントアウトするカラープリンタ２の構成を第１図を用いて説明する。
　第１図に示すプリンタ２の構成において、スキャナ７１１は、カラーリーダ１からの画像信号を光信号に変換するレーザ出力部、多面体（例えば８面体）のポリゴンミラー７１２、このポリゴンミラー７１２を回転させるモータ（不図示）及びｆ／θレンズ（結像レンズ）７１３等を有する。また、７１４は図中１点鎖線で示されるスキャナ７１１からのレーザ光の光路を変さらする反射ミラーであり、７１５は感光ドラムである。
　レーザ出力部から出射したレーザ光は、ポリゴンミラー７１２で反射され、ｆ／θレンズ７１３及び反射ミラー７１４により感光ドラム７１５の面を線状に走査（ラスタースキャン）し、原稿画像に対応した潜像を形成する。
　また、７１７は一次帯電器、７１８は全面露光ランプ、７２３は転写されなかった残留トナーを回収するクリーナ部、７２４は転写前帯電器であり、これらの部材は感光ドラム７１５の周囲に配設されている。７２６はレーザ露光によって、感光ドラム７１５の表面に形成された静電潜像を現像する現像器ユニットであり、７１３Ｙ（イエロー用）、７１３Ｍ（マゼンタ用）、７１３Ｃ（シアン用）、７１３ＢＫ（ブラック用）は感光ドラム７１５と接して直接現像を行う現象スリーブ、７３０Ｙ、７３０Ｍ、７３０Ｃ、７３０ＢＫは及びトナーを保持しておくトナーホッパー、７３２は現像材の位相を行うスクリューである。これらのスリーブ７３０Ｙ〜７３１ＢＫ、トナーホッパー７３０Ｙ〜７３０ＢＫ及びスクリュー７３２により現像器ユニット７２６が構成され、これらの部材は現像器ユニット７２６の回転軸Ｐの周囲に配設されている。
　例えば、イエローのトナー像を形成する時は、第１図に図示した位置でイエロートナーの現像を行う。また、マゼンタのトナー像を形成する時は、現像器ユニット７２６を図の軸Ｐを中心に回転させ、感光体７１５に接する位置にマゼンタ現像器内の現像スリーブ７３１Ｍを配設させる。シアン、ブラックの現像も同様に現像器ユニット７２６を図の軸Ｐを中心に回転させて動作する。
　また、７１６は感光ドラム７１５上に形成されたトナー像を用紙に転写する転写ドラムであり、７１９は転写ドラム７１６の移動位置を検出するためのアクチュエータ板７１９と近接することにより転写ドラム７１６がホームポジション位置に移動したのを検出するポジションセンサ、７２５は転写ドラムクリーナ、７２７は紙押えローラ、７２８は除電器、７２９は転写帯電器であり、これらの部材７１９、７２０、７２５、７２７、７２９は転写ローラ７１６の周囲に配設されている。
　一方、７３５、７３６は用紙（紙葉体）を収集する給紙カセット、７３７、７３８はカセット７３５、７３６から用紙を給紙する給紙ローラ、７３９、７４０、７４１は給紙および搬送のタイミングをとるタイミングローラである。これらを経由して給紙搬送された用紙は、紙ガイド７４９に導かれて先端を後述のグリッパに担持されながら転写ドラム７１６に巻き付き、像形成過程に移行する。
　また、５５０はドラム回転モータであり、感光ドラム７１５と転写ドラム７１６を同期回転させる。７５０は像形成過程が終了後、用紙を転写ドラム７１６から取りはずす剥離爪、７４２は取りはずされた用紙を搬送する搬送ベルト、７４３は搬送ベルト７４２で搬送されて来た用紙を定着する画像定着部であり、画像定着部７４３において、モータ取付部７４８に取付けられたモータ７４７の回転力は、伝達ギヤ７４６を介して一対の熱圧力ローラ７４４及び７４５に伝達され、この熱圧力ローラ７４４及び７４５間を搬送される用紙上の像を定着する。
　以上の構成により成るプリンタ２のプリントアウト処理を、第２３図のタイミングチャートを参照して以下に説明する。
　まず、最初のＩＴＯＰ５５１が来ると、レーザ光により感光ドラム７１５上にＹ潜像が形成され、これが現像ユニット７３１Ｙにより現像される。次いで転写ドラム上の用紙に転写が行われ、マゼンタプリント処理が行われる。そして、現像ユニット７２６が図の軸Ｐを中心に回動する。
　次に、ＩＴＯＰ５５１が来ると、レーザ光により、感光ドラム上にＭ潜像が形成され、以下同様の動作でシアンプリント処理が行われる。この動作を続いて来るＩＴＯＰ５５１に対応してＣ、ＢＫについても同様に行い、イエロープリント処理、ブラックプリント処理が行われる。このようにして、画像形成過程が終了すると、次に剥離爪７５０により用紙の剥離が行われ、画像定着部７４３で定着が行われ、一連のカラー画像のフリントが終了する。
＜モニタテレビインターフェイスの説明＞
　本実施例のシステムは、第１図に示すように、画像記憶装置内の画像メモリの内容を、モニタテレビ３２に出力可能である。また、ＳＶ録再生機３１からのビデオ画像を出力することも可能である。
　以下に詳しく説明する。
　画像メモリ４０６０Ｒ、４０６０Ｇ、４０６０Ｂに記憶されているビデオ画像データは、ＤＭＡＣ４３８０によって読出され、ディスプレイメモリ４４１０Ｒ、４４１０Ｇ、４４１０Ｂに記憶されたビデオ画像データは、ＬＵＴ４４２０Ｒ、４４２０Ｇ、４４２０Ｂを通ってＤ／Ａコンバータ４４３０Ｒ、４４３０Ｇ、４４３０Ｂに送られ、ここでディスプレイコントローラ４４４０からのＳＹＮＣ信号４５９０Ｓに同期してアナログＲ信号４５９０Ｒ、Ｇ信号４５９０Ｇ、Ｂ信号４５９０Ｂに変換され、出力される。
　一方、ディスプレイコントローラ４４４０からは、これらのアナログ信号の出力タイミングに同期してＳＹＮＣ信号９６００が出力される。このアナログＲ信号４５９０Ｒ、Ｇ信号４５９０Ｇ、Ｂ信号４５９０Ｂ、ＳＹＮＣ信号４５９０Ｓをモニタ４に接続することにより、画像記憶装置３の記憶内容を表示することができる。
　また、本実施例においては、ホストコンピュータ３３から画像記憶装置３へ制御コマンドを送ることによって表示されている画像のトリミングが可能である。
　ＣＰＵ４３６０は、ホストコンピュータ３３によって指示入力された領域情報より、上述と同様の制御で、ディスプレイコントメモリ４４１０Ｒ、４４１０Ｇ、４４１０Ｂへ有効領域のみを転送することによってトリミングが可能である。
　また、ホストコンピュータ３３からの領域指示情報に対応して、第１２図に示すコンパレータ４２３２、４２３３及びＲＡＭ４２１２に上述した場合と同様にしてデータをセットし、再びカラーリーダ１やＳＶ録再生機３１から画像データを入力することにより、トリミングされた画像データをメモリ４０６０Ｒ、４０６０Ｇ、４０６０Ｂに記憶することができる。
　なお、４４００はモニタテレビ３２に表示されているカラー画像の色調を調整するためのボリュームである。
　ＣＰＵ４３６０は、このボリューム４４００の抵抗値（設定値）を読取り、この設定値からＬＵＴ４４２０Ｒ、４４２０Ｇ、４４２０Ｂのテーブルに出力調整用補正データをセットする。また、モニタ４の表示色と記録する色を合わせるため、ＬＵＴ４２００のテーブルの調整用補正データをボリューム４４００の設定値に連動して変化させる。
　また、画像メモリ４０６０Ｒ、４０６０Ｇ、４０６０Ｂに複数の画像が記憶されている場合、カラープリンタ２で記録する際の各画像のレイアウトも、モニタテレビ３２とホストコンピュータ３３を用いて行なうことが可能である。
　すなわち、まずモニタテレビ３２に記録紙の大きさを表示し、この表示を見ながら各画像のレイアウトした位置情報をホストコンピュータ３３によって入力することにより、カラープリンタ２で記録する各画像のレイアウトが可能である。
　この時、画像メモリ４０６０Ｒ、４０６０Ｇ、４０６０Ｂからカラープリンタ２への記憶情報の読出し制御及びカラープリンタ２での記録制御は、上述した実施例と同様であるので説明は省略する。
＜コンピュータインターフェイスの説明＞
　本実施例のシステムでは、第１図に示すように、ホストコンピュータ３３を画像記憶装置３に接続したものである。そこで次に、第１０図を用いて本実施例装置とホストコンピュータ３３との間のインターフェイスを説明する。
　ホストコンピュータ３３とのインターフェイスは、コネクタ４５８０によって接続されたＧＰＺＢコントローラ４３１０にて行われる。ＧＰＺＢコントローラは、ＣＰＵバス９６１０を介し、ＣＰＵ４３６０と接続されており、決められたプロトコルにより、ホストコンピュータ３３とのコマンドのやりとりや画像データの転送を行なうことが可能である。
　以上、詳細な実施例を説明したが、本発明は、上述のようなカラー画像形成システムに限らず、単色のプリンタ等においても適用し得ることは勿論である。
［発明の効果］
　本発明によれば、
記憶手段に記録された画像情報の属性を予め取得し、その属性に応じてメモリヘの格納領域を設定し、メモリへ画像情報を記録するので、外部から画像が送られてくる前に、これから送られてくる画像に必要なメモリの記憶領域を確保することができ、したがって、メモリの記憶領域を有効に利用することができるという効果を奏する
　
これは、特に、記憶容量をあまり大きくできない装置に画像情報を転送する場合に効果的である。
　
さらに、その取得された属性に応じて、複数の画像情報のそれぞれを、一定の大きさとする変倍率を設定し、変倍処理し、上記複数の画像情報を像形成するので、画像の属性に応じた適切な処理によって、見苦しいレイアウトの画像を防止することができる。
【図面の簡単な説明】
　第１図は、本発明に係る一実施例のシステム構成図である。
　第２図は、同実施例におけるカラーリーダの詳細を示すブロック図である。
　第３図〜第６図は、同実施例におけるカラーリーダのビデオインターフェイス部の切換え制御の例を示す模式図である。
　第７図は、同実施例におけるデジタイザを示す外観図である。
　第８図は、同実施例におけるデジタイザによって指示されたアドレス情報を説明する説明図である。
　第９図は、同実施例のインターフェイス部より画像記憶装置への出力タイミングを示すタイミングチャートである。
　第１０図（Ａ）、（Ｂ）は、同実施例の画像記憶装置の詳細を示すブロック図である。
　第１１図は、同実施例における画像記憶装置のセレクタ部の詳細を示す回路図である。
　第１２図は、同実施例における画像記憶装置のシステムコントローラ部とＦＩＦＯメモリとの詳細を示す回路図である。
　第１３図は、同実施例の等倍処理時におけるシステムコントローラ部のＦＩＦＯメモリヘのデジタル格納時の動作を示すタイミングチャートである。
　第１４図は、同実施例の等倍処理時におけるシステムコントローラ部のＦＩＦＯメモリヘのデジタル格納時の動作を示すタイミングチャートである。
　第１５図は、同実施例における画像記憶装置のシステムコントローラ部と画像メモリとの関連構成を示すの詳細回路図である。
　第１６図（Ａ）は、同実施例における画像記憶装置とＳＶ録再生機との通信によるＳＶのトラック情報のやりとりを示すフローチャートである。
　第１６図（Ｂ）は、ＳＶにおけるトラック情報を示す模式図である。
　第１６図（Ｃ）は、同実施例における画像記憶装置の画像メモリ内での情報の配置を示す模式図である。
　第１７図は、同実施例における画像形成のレイアウトを示す模式図である。
　第１８図は、第１７図に示す画像形成レイアウトに従った画像形成処理の動作を示すタイミングチャートである。
　第１９図は、同実施例の他の画像記憶装置におけるメモリ内の画像情報の配置を示す模式図である。
　第２０図は、第１９図に示す画像情報を任意にレイアウトした状態を示す模式図である。
　第２１図は、第２０図に示す“ｌ１”ラインにおける画像形成時のタイミングを示すタイミングチャートである。
　第２２図は、第２１図に示す“ｌ２”ラインにおける画像形成時のタイミングを示すタイミングチャートである。
　第２３図は、同実施例の画像形成プロセスのタイミングを示すタイミングチャートである。
　第２４図は、従来の画像処理システムの構成を説明するブロック図である。
　１…カラーリーダ、
　２…カラープリンタ、
　３…画像記憶装置、
　１１…原稿走査ユニット、
　１２…ビデオ処理ユニット、
　１３…コントロールユニット、
　１６…デジタイザ、
　２０…操作部、
　３１…ＳＶ録再生機、
　３２…モニタテレビ、
　３３…ホストコンピュータ、
　５６…プリンタインターフェイス、
　４２０…座標検知板、
　４２１…ポイントペン、
　４０００…デコーダ、
　４０１０、４０７０、４１３０、４１９０、４２１３、４２５０、４２５３…セレクタ、
　４０２０、４４３０…Ａ／Ｄ変換器、
　４０５０、４１４０、４２５２…ＦＩＦＯメモリ、
　４０６０…画像メモリ、
　４０８０、４２１４、４２３０…カウンタ、
　４１１０、４２００、４２２０…ＬＵＴ、
　４１２０…マスキング／黒抽出／ＵＣＲ回路、
　４１５０…拡大・補間回路、
　４２１０…システムコントローラ、
　４２１２…ＲＡＭ、
　４２７０…リーダコントローラ、
　４３６０…ＣＰＵ、
　４３８０…ＤＭＡＣ、
　４４００…ボリューム、
　４４１０…ディスプレイメモリ、
　４４４０…ディスプレイコントローラ。